(57)【要約】【解決課題】  絵画などの美術品、映画、音楽コンサートなどの創作物（記録対象）を無断で記録することを自動的に防止可能なシステムを提供する。【解決手段】  撮影体を記録媒体に記録するシステムにおいて、人の認識可能領域外ではあるが、記録用機器の記録感度領域内の余信号を記録対象に対して適用することにより、記録対象からの映像や音声にこの余信号が付加されて、この余信号の影響を受けた記録媒体が記録対象からの映像や音声を正しく記録できないようになる。【選択図】  図１
2004364250.tif 000002
【特許請求の範囲】
【請求項１】
記録対象を記録用機器によって記録媒体に記録するシステムにおいて、人の記録感度領域外ではあるが、前記記録用機器の記録感度領域内の余信号を記録対象に対して適用し、当該余信号の影響を受けた記録対象を前記記録媒体に記録するようにした記録制御システム。
【請求項２】
撮影体を記録媒体に記録するシステムにおいて、人の認識可能領域外の難可視光を前記撮影体に照射する手段を備え、前記記録媒体に前記撮影体からの映像を記録する撮像手段の記録可能感度領域内に前記難可視光が含まれるようにした撮影体の撮影防止システム。
【請求項３】
前記難可視光が赤外光である請求項２記載のシステム。
【請求項４】
前記難可視光を前記撮影体への照明光とともに、或いはこれとは別に照射し、前記撮影体からの反射映像を前記撮影手段が前記記録媒体に記録してなる請求項２記載のシステム。
【請求項５】
録音対象を記録媒体に記録するシステムにおいて、人の認識可能領域外の難可聴音を前記記録対象に対して適用する手段と、前記記録媒体に前記録音対象から出される音声を記録する録音手段と、を備え、この録音手段の録音可能感度領域内に前記難可聴音が含まれるようにした記録制御システム。
【請求項６】
前記余信号を発生する余信号発生手段と、余信号の発生とその停止を制御する余信号発生制御手段と、ＩＤの認識手段と、を備え、特定ＩＤの認識がされた時に、前記制御手段は、所定時間の間前記余信号の発生を停止させるようにした請求項１記載のシステム。
【発明の詳細な説明】
【技術分野】
【０００１】
本発明は、美術品、映画、音楽コンサート等の創作物である記録対象を記録装置によって記録媒体に記録する際に、これを無断で記録することを防止するためのシステムに関するものであり、特に、撮影体の無断撮影を自動的に防止するシステムに関するものである。
【背景技術】
【０００２】
従来から撮影禁止機能を備えたカメラとして、例えば、特開２００１-１４９３５５号公報、特開平０７-０３６０９1号公報に記載されたものが存在する。このうち、後者のものは、露出作動に先だって焦電型赤外光センサによって人物を検出し、さらにブレ検出手段によってブレを検出し、共に検出信号が出力された場合には撮影を禁止するか、またはストロボをプリ発光し、その後にストロボ発光を含む露出作動を行うことにより、被写体が人物であり、かつブレが生じている場合には撮影を禁止あるいはプリ発光を含めてストロボを発光するので、人物を鮮明に、しかも赤目現象を緩和して撮影することができる、というものである。
【特許文献１】特開２００１-１４９３５５号公報
【特許文献２】特開平０７-０３６０９１号公報
【発明の開示】
【発明が解決しようとする課題】
【０００３】
従来の撮影禁止機能を備えたカメラによっても、絵画等の創作物を無断で撮影することを自動的に防止することができなかった。したがって、このような場合には、絵画等の展示箇所に警備員を配置するなどの人的な対策によって、無断で絵画を撮影しようとする者に注意を与えてこれを防止する程度の対処に留まっていた。
【０００４】
本発明は、このような課題を解決するために、絵画などの美術品、映画、音楽コンサートなどの創作物（記録対象）を無断で記録することを自動的に防止、制限、或いは禁止することが可能なシステムを提供することを目的とするものである。
【課題を解決するための手段】
【０００５】
前記目的を達成するために、本発明は、記録対象を記録用機器によって記録媒体に記録するシステムにおいて、人の記録感度領域外ではあるが、前記記録用機器の記録感度領域内の余信号を記録対象に対して適用し、当該余信号の影響を受けた記録対象を前記記録媒体に記録するようにしたことを特徴とするものである。
【０００６】
第２の発明は、撮影体を記録媒体に記録するシステムにおいて、人の認識可能領域外の難可視光（非可視光を含む。）を前記撮影体に照射する手段を備え、前記記録媒体に前記撮影体からの映像を記録する撮像手段の記録可能感度領域内に前記難可視光が含まれるようにした撮影体の撮影防止システムであることを特徴とする。難可視光としては、赤外光が好適である。本発明の好適な形態においては、前記難可視光を前記撮影体への照明光とともに、或いはこれとは別に照射し、前記撮影体からの反射映像を前記撮影手段が前記記録媒体に記録してなる。
【０００７】
本発明はまた、録音対象を記録媒体に記録するシステムにおいて、人の認識可能領域外の余分音信号（難可聴音、非可聴音を含む。）を前記記録対象に対して適用する手段と、前記記録媒体に前記録音対象から出される音声を記録する録音手段と、を備え、この録音手段の録音可能感度領域内に前記余分音信号が含まれるようにした録音対象の記録防止システムであることを特徴とするものである。
【０００８】
本発明によれば、人の認識可能領域外ではあるが、記録用機器の記録感度領域内の余信号を記録対象に対して適用することにより、記録対象からの映像や音声にこの余信号が付加されて、この余信号の影響を受けた記録媒体が記録対象からの映像や音声を正しく記録できないようになる。余信号とは、記録対象が撮影対象である場合には、赤外光などの難・非可視光であり、記録対象が録音対象である場合には超音波領域の難・非可聴音である。記録媒体とは、撮影機器内のハードディスク、フラッシュメモリ、メモリスティック等情報を記録できるものであれば制限されない。
【０００９】
さらに、本発明においては、前記余信号を発生する余信号発生手段と、余信号の発生とその停止を制御する余信号発生制御手段と、ＩＤの認識手段と、を備え、特定ＩＤの認識がされた時に、前記制御手段は、所定時間の間前記余信号の発生を停止させるように構成することにより、特定の人、特定の記録用機器、特定の場所、建物などに特定のＩＤを定義し、このＩＤを許可された人、記録用機器（デジタルカメラなど）、許可された場所、許可された建物などの特定物が認識され、記録を許可することになる。
【発明を実施するための最良の形態】
【００１０】
次に本発明の実施形態について説明する。図１は、本発明に係わるシステム或いは方法の機能ブロック図であり、（１）は撮影対象が絵画である場合、（２）は撮影対象が人物或いは人物様のものである場合である。
【００１１】
非可視光源（赤外光等）が撮影対象の回りに設置され、撮影対象に向けて非可視光が照射される。可視光の光源は図示されていないが、撮影対象に向けて設けられている。赤外光源としては、キセノン球、ＬＥＤ、酸化チタン光、及びレーザー光の少なくとも一種である。
【００１２】
非可視光及び可視光は撮影対象から反射されて、撮影対象の観察者に到達して撮影者は撮影対象を認識できる。このときの反射光の中には非可視光が含まれているが、これは人に認識されないために、観察者は可視光の反射によって撮影対象を認識することができる。
【００１３】
一方、非可視光の波長域を、人間の網膜の認識可能領域外であるが、デジタルカメラ、デジタルビデオ等の撮影機器の撮像素子（ＣＣＤカメラ等）の撮影可能領域波長域内に設定する。
【００１４】
図２には人間の目の感度と撮像素子の感度特性とを比較したものである。Ｂは青色に対する感度であり、Ｇはグリーンに対する感度であり、Ｒは赤に関する感度である。Ｆは赤外フィルタの境界波長であり、この境界波長以上の波長の光が撮像素子に到達しないようにしている。ここで、人間の目の感度領域外或いは低感度領域（Ｈ）の波長（図２を例にとると、６００乃至７００ｎｍ）の赤外光を非可視光として撮影対象に照射するようにすれば、人間の目には認識されないが撮像素子には検知されて、全体的に赤くなった映像が記録媒体に記録され撮影体が正しく撮影できないことになる。
【００１５】
このように、撮影機器に可視光外の波長の光に対するフィルタが設けられていても、フィルタによって阻止されない波長域の非可視光を撮影対象に照射すれば、撮影対象を撮影することが妨げられる。この観点から、非可視光源の波長をフィルタ特定に応じて変更できるようにすることが好ましい。波長を時間的に変化させても良い。非可視光の照射光源を、ショーケース内の撮影対象回りに、或いは額縁内に設けるようにすることができる。
【００１６】
図３は本発明の第２の実施例に係わるものであり、プロジェクタからスクリーンに投射された映像の撮影を図１及び図２のシステムと同じ原理に基づいて、ガードするシステムである。
【００１７】
図４は、赤外光を照射する光源を投写表示装置内に設けた実施形態を示すものである。投写型表示装置１は、光源２と、光源２から出射される光束Ｗを、赤、緑、青の各色光束Ｒ、Ｇ、Ｂに分離する色分離光学系４と、各色光束を変調する変調手段としての３枚の液晶パネル５Ｒ、５Ｇ、５Ｂと、変調された色光束を再合成する色合成光学系６と、合成された光束をスクリーン８上に拡大投写する投写レンズ７ｂと、投写レンズ７ｂの色合成プリズム６側に合成光を投写レンズ７ｂに導くレンズ７ａと、を有している。また、色分離光学系４によって分離された各色光束のうち、緑色光束Ｇを対応する液晶バルブ５Ｇに導く導光系９を有している。
【００１８】
光源２の光源ランプ２１としてはハロゲンランプ、メタルハライドランプ、キセノンランプ等を用いることができる。色分離光学系４は、青緑反射ダイクロイックミラー４０と青反射ダイクロイックミラー４２と反射鏡４４から構成される。光束Ｗは、まず、青緑反射ダイクロイックミラー４０において、そこに含まれている青色光束Ｂおよび緑色光束Ｇが直角に反射されて、青反射ダイクロイックミラー４２の側に向かう。
【００１９】
赤色光束Ｒはこのミラー４０を通過して、後方の反射鏡４４で直角に反射されて、赤色光束の出射部から色合成光学系の側に出射される。ミラー４０において反射された青および緑の光束Ｂ、Ｇは、青反射ダイクロイックミラー４２において、青色光束Ｂのみが直角に反射されて、青色光束の出射部から色合成光学系の側に出射される。このミラー４２を通過した緑色光束Ｇは、緑色光束の出射部から導光系９の側に向けて出射される。
【００２０】
ここで、色分離光学系４の各色光束の出射部の出射側には、それぞれ、平凸レンズからなる集光レンズ１０１、１０２および１０３が配置されている。したがって、各出射部から出射した各色光束は、これらの集光レンズ１０１乃至１０３に入射して平行化される。
【００２１】
平行化された後の各色光束Ｒ、Ｇ、Ｂのうち、赤色および青色の光束Ｒ、Ｂは、集光レンズ１０１、１０２の直後に配置されている液晶パネル５Ｒ、５Ｂに入射して変調され、各色光に対応した映像情報が付加される。すなわち、これらの液晶パネルは、駆動手段によって映像情報に応じてスイッチング制御が行われ、これにより、ここを通過する各色光の変調が行われる。一方、緑色光束Ｇは、導光系９を介して、対応する液晶パネル５Ｇに導かれ、映像情報に応じて変調が施される。導光系９は、入射側反射鏡９０と出射側反射鏡９２とから構成されている。
【００２２】
各液晶パネル５Ｒ、５Ｇ、５Ｂを通って変調された各色光束は、色合成光学系６に入射され、ここで再合成される。ダイクロイックプリズムを用いて色合成光学系６を構成している。
【００２３】
この投写型表示装置には、赤外光源２００が設けられている。赤外光源から照射された赤外光はミラー４２を経て色合成系６に供給される。色合成系ではこの赤外光がＲＧＢの各色信号と合成されて、赤外光が付加された映像が図３と同様にスクリーン上に形成される。
【００２４】
記録対象への余信号の提供には次のような態様がある。可視光領域以外の波長の光信号を撮影対象に連続的に照射すること。これを断続的に照射すること。これを乱数的に照射すること。光源の照明光源に非可視光をミキシングすること。
【００２５】
なお、実施形態は撮影対象に非可視光を照射するようにしたが、録音対象に非可聴域外音を適用、照射して、可聴域音に非可聴域外音を重複させて録音することにより、可聴域音が記憶媒体に正常に記録できないようにしても良い。人間の可聴域外で記録装置の検出可能領域内のものとして、例えば、５０ｋＨｚ〜６０ｋＨｚ波長の超音波信号がある。
【００２６】
本発明に関連する実施形態として、例えば次のようなものもある。離間した２箇所に、マイクロフォンとスピーカとからなるユニットをそれぞれ設ける。マイクロフォンは上記超音波信号を検出し、かつスピーカは超音波信号を発生可能である。マイクロフォンにて検出された信号は、変換回路によって人の可聴域内音に変換する。人から発せられる音声は、変換回路によって超音波領域に変換されてスピーカから出力される。この結果、離間した箇所間で秘匿通話システムが完成させられる。
【００２７】
図５は図４のシステムの変形例に係わるものであり、図４のシステムとの相違点は、非可視光光源からの光が変調手段であるＬＣＤに到達せず、映像合成系の後流側に照射されるようにした点である。すなわち、赤外光源２００からの赤外光は、ミラー２１０によって、レンズ７ｂとレンズ７ａとの間にあるハーフミラー２１２に反射され、赤外光は投写レンズ７ｂに供給され、スクリーン８に到達する。スクリーン上では映像と赤外光が混合された表示が実現される。
【００２８】
このような構成を採用することによって、赤外光によるＬＣＤの加熱を防ぎ、ＬＣＤの寿命低下を防止することができる。
【００２９】
図６は、本発明のシステムを平面表示体へ適用した実施形態の原理図を示すものである。符号３００は透過性のＬＣＤであり、符号３０２はそのバックライトとしての背面光源である。背面光源のさらに背面側には非可視光光源３０１が配置され、バックライトからの可視光と非可視光が一緒になってＬＣＤに供給される。符号３０４は、ＬＣＤからの映像を記録する記録系（カメラ、肉眼）を示している。
【００３０】
図７は、記録系のＩＤを確認して非可視光の照射及びその停止を制御する制御システムを備えた記録制御システムの制御ブロック図である。符号４００は、非可視光の光照射のＯＮあるいはＯＦＦを制御する制御回路である。この制御回路は、記録系（カメラ、撮影者）のＩＤを認識するための通信制御回路を備えている。例えば、通信回路と、ＩＤを記録したメモリと、マイコンを備えた、ＩＤ登録申請が許可されたカメラであって、撮影対象（スクリーン上の映像）の撮影時に制御回路に携帯電話通信網等を利用してＩＤを送信するとする。制御回路はデータベースと照合して許可されたＩＤであれば、赤外光源からの発光を撮影が終了するまで停止する。カメラのシャッターの一段のスイッチでＩＤの送信及び赤外発光を停止し、２段スイッチのＯＮによって赤外発光を再開するようにすれば良い。ＩＤはカメラ自体に定義されても、撮影者自体に定義されても良い。このような構成を採用することによって、許可された記録手段にのみ記録対象の記録を許可することができる。
【００３１】
図９は制御回路の動作フローの例であって、制御回路は常時あるいは撮影時に非可視光光源から撮影対象に照射している（Ｓ８００）。撮影の申請者が非接触ＩＣ回路（例：フェリカ(商標)）を内蔵した携帯電話を所有し、このＩＣ回路にＩＤが登録されていると、制御回路はこのＩＤのチェックを非接触に行い、撮影を許可するか否かを判断する（Ｓ８０２）。なお、ＩＤの登録はユーザーが携帯電話を利用して所定のサーバにアクセスしてＩＤを入手し、これをＩＣ回路に記憶しておけば良い。制御回路はＩＤが登録されているＩＤか否かをチェックし、これが肯定されると所定時間(撮影に必要な必要最小源の時間)非可視光の照射を一時的に中止する（Ｓ８０４）。ＩＤの登録がない場合には、制御回路はＩＤの登録が無い旨及び登録を勧めるメッセージを携帯端末に通信回線を利用するなどして送信する（Ｓ８０６）。次いで、制御回路は図８に示す処理動作を終了し、他の携帯端末から撮影要求があった際にＳ８０２にリターンして、非可視光光源の照射制御動作を継続する。
【００３２】
なお、図８は、図４のシステムの更に変形例を示すものであり、図５のシステムの相違点は、赤外光源２００を、プロジェクタのレンズ枠前横に脱着可能にした点である。
【図面の簡単な説明】
【００３３】
【図１】本発明に係わるシステム或いは方法の機能ブロック図。
【図２】人間の目の感度と撮像素子感度の特性とを比較した特性図。
【図３】プロジェクタからスクリーンに投射された映像の撮影を図１及び図２のシステムと同じ原理に基づいて、ガードするシステムの機能ブロック図。
【図４】赤外光を照射する光源を投写表示装置内に設けた装置構成図である。
【図５】図4のシステムの変形例に係わるものである。
【図６】本発明のシステムを平面表示体へ適用した実施形態の原理図を示すものである。
【図７】記録系のＩＤを確認して非可視光の照射及びその停止を制御する制御システムを備えた記録制御システムの制御ブロック図である。
【図８】図７のシステムの制御回路の動作フローチャートである。
【図９】図４のシステムの更に変形例を示すものである。
【符号の説明】
【００３４】
１  投写型表示装置、２  光源、４  色分離光学系、５Ｒ、５Ｇ、５Ｂ  各色光束を変調する変調手段としての３枚の液晶パネル、６  色合成光学系、7  投写レンズ。
【図１】
2004364250.tif 000003
【図２】
2004364250.tif 000004
【図３】
2004364250.tif 000005
【図４】
2004364250.tif 000006
【図５】
2004364250.tif 000007
【図６】
2004364250.tif 000008
【図７】
2004364250.tif 000009
【図８】
2004364250.tif 000010
【図９】
2004364250.tif 000011